(57)【要約】      （修正有）【課題】それぞれに多重焦点のある複数の光格子を含む、改良された光格子構造を有する配光板を提供する。【解決手段】配光板はランプの光出力面に使用され、少なくとも一つのその表面にそれぞれに多重焦点を有する複数の光格子６０１のある少なくとも一つの透明板で、多重焦点を有する光格子６０１はそれぞれ、二つの焦点を有する凸面レンズ６０２、６０３および少なくとも一つの非アーチ型面のあるレンズ６０４から成る。この構造により、光線は均一に分配され、およびランプの下の範囲が特に明るくなるガウス分布現象を回避することが可能であり、およびランプの発光部を目視する間の目のくらみ現象を阻止することができ、明るさの損失を最小限にした状況下で光線はより穏やかになる。【選択図】図６
2009266817.tif 000002
【特許請求の範囲】
【請求項１】
それぞれに多重焦点のある複数の光格子を含む、改良された光格子を有する配光板において、前記配光板はランプの光出力面に前記ランプの光線の屈折角度方向を制御するため使用され、そのため前記光線は照明される区域を均一な分配の効果を得るよう照射できるようになり、前記ランプは隠しランプシェード、少なくとも一つの反射面、および少なくとも一つの光源を含み、前記それぞれに多重焦点のある複数の光格子を有する配光板は、少なくとも一つの側に多重焦点を有する複数の光格子が形成される少なくとも一つの透明板を含み、前記配光板は、
前記多重焦点を有する光格子はそれぞれ、少なくとも二つの焦点を有する凸面レンズ格子を形成するため、二つ以上のアーチ型（凹面または凸面）レンズおよび非アーチ型面のある少なくとも一つのレンズから成り、前記多重焦点を有する光格子を形成する前記アーチ型（凹面または凸面）レンズそれぞれの曲率および傾斜角度は、前記（凹面または凸面）レンズの表面を通る入射光線の屈折角度に従って変化する、
ことを特徴とする。
【請求項２】
前記透明板はその上面にそれぞれが多重焦点を有する複数の光格子が備わり、前記多重焦点のある光格子はストリップ状の光格子で、前記上面は前記ランプの光受容面であり、前記透明板の底面は平面でかつ前記ランプの照明面である、請求項１に記載のそれぞれに多重焦点のある複数の光格子を含む改良された光格子構造を有する配光板。
【請求項３】
前記透明板はその上面にそれぞれが多重焦点を有する複数の光格子が備わり、前記多重焦点のある光格子は環状の光格子で、前記上面は前記ランプの光受容面であり、前記透明板の底面は平面でかつ前記ランプの照明面である、請求項１に記載のそれぞれに多重焦点のある複数の光格子を含む改良された光格子構造を有する配光板。
【請求項４】
前記透明板はその上面にそれぞれが多重焦点を有する複数の光格子が備わり、前記多重焦点のある光格子は雲状の光格子で、前記上面は前記ランプの光受容面であり、前記透明板の底面は平面でかつ前記ランプの照明面である、請求項１に記載のそれぞれに多重焦点のある複数の光格子を含む改良された光格子構造を有する配光板。
【請求項５】
前記透明板はその上面にそれぞれが多重焦点を有する複数の光格子が備わり、前記多重焦点のある光格子は非同心円の環状の光格子で、前記上面は前記ランプの光受容面であり、前記透明板の底面は平面でかつ前記ランプの照明面である、請求項１に記載のそれぞれに多重焦点のある複数の光格子を含む改良された光格子構造を有する配光板。
【請求項６】
前記透明板はその上面にそれぞれが多重焦点を有する複数の光格子が備わり、前記多重焦点のある光格子は複数の非同心円の環状の光格子および複数の部分的に環状の光格子から成り、前記上面は前記ランプの光受容面であり、前記透明板の底面は平面でかつ前記ランプの照明面である、請求項１に記載のそれぞれに多重焦点のある複数の光格子を含む改良された光格子構造を有する配光板。
【請求項７】
前記透明板はその上面にそれぞれが多重焦点を有する複数の光格子が備わり、前記多重焦点のある光格子は複数の非同心円でかつ部分的に環状の光格子から成り、前記上面は前記ランプの光受容面であり、前記透明板の底面は平面でかつ前記ランプの照明面である、請求項１に記載のそれぞれに多重焦点のある複数の光格子を含む改良された光格子構造を有する配光板。
【請求項８】
前記透明板はその上面にそれぞれが多重焦点を有する複数の光格子が備わり、前記多重焦点のある光格子はストリップ状の光格子で、前記上面は前記ランプの光受容面であり、前記透明板の底面はその上に複数の標準凸面レンズが形成され、および前記ランプの照明面である、請求項１に記載のそれぞれに多重焦点のある複数の光格子を含む改良された光格子構造を有する配光板。
【請求項９】
前記透明板はその上面にそれぞれが多重焦点を有する複数の光格子が備わり、前記多重焦点のある光格子は環状の光格子で、前記上面は前記ランプの光受容面であり、前記透明板の底面はその上に複数の標準凸面レンズが形成され、および前記ランプの照明面である、請求項１に記載のそれぞれに多重焦点のある複数の光格子を含む改良された光格子構造を有する配光板。
【請求項１０】
前記透明板はその上面にそれぞれが多重焦点を有する複数の光格子が備わり、前記多重焦点のある光格子は段階的に配置される環状の光格子で、前記上面は前記ランプの光受容面であり、前記透明板の底面は平面でかつ前記ランプの照明面である、請求項１に記載のそれぞれに多重焦点のある複数の光格子を含む改良された光格子構造を有する配光板。
【請求項１１】
前記透明板はその上面にそれぞれが多重焦点を有する複数の光格子が備わり、前記多重焦点のある光格子は段階的に配置される環状の光格子で、前記上面は前記ランプの光受容面であり、前記透明板の底面はアーチ型面でかつ前記ランプの照明面である、請求項１に記載のそれぞれに多重焦点のある複数の光格子を含む改良された光格子構造を有する配光板。
【請求項１２】
前記透明板はその上面にそれぞれが多重焦点を有する複数の光格子が備わり、前記多重焦点のある光格子は段階的に配置される環状の光格子で、前記上面は前記ランプの光受容面であり、前記透明板の底面はその上に複数の標準凸面レンズが形成され、および前記ランプの照明面である、請求項１に記載のそれぞれに多重焦点のある複数の光格子を含む改良された光格子構造を有する配光板。
【請求項１３】
前記透明板はその上面にそれぞれが多重焦点を有する複数の光格子が備わり、前記多重焦点のある光格子は段階的に配置される環状の光格子で、前記上面は前記ランプの光受容面であり、前記透明板の底面はその上に複数の環状に配置される標準凸面レンズが形成され、および前記ランプの照明面である、請求項１に記載のそれぞれに多重焦点のある複数の光格子を含む改良された光格子構造を有する配光板。
【請求項１４】
前記透明板の形は、長方形、円、楕円、および新奇の形から選択される、請求項１に記載のそれぞれに多重焦点のある複数の光格子を含む改良された光格子構造を有する配光板。
【請求項１５】
前記透明板の材料は透明プラスチックおよび透明ガラスから選択される、請求項１に記載のそれぞれに多重焦点のある複数の光格子を含む改良された光格子構造を有する配光板。
【請求項１６】
前記少なくとも一つの透明板の数量は相互に重複する二つであり、および上部の透明板はその上面に多重焦点を有する複数の光格子が備わり、前記上面は前記ランプの光受容面で、および前記上部透明板の底面は平面であり、および下部の透明板はその上面にそれぞれが多重焦点を有する複数の光格子が備わり、前記上面は前記ランプの光受容面で、および前記下部透明板の底面は平面か、またはその上に複数の標準凸面レンズが形成され、および前記ランプの照明面である、請求項１に記載のそれぞれに多重焦点のある複数の光格子を含む改良された光格子構造を有する配光板。
【請求項１７】
前記光格子のそれぞれの前記二つ以上のアーチ型（凹面または凸面）レンズは凸面レンズである、請求項１に記載のそれぞれに多重焦点のある複数の光格子を含む改良された光格子構造を有する配光板。
【請求項１８】
前記光格子のそれぞれの前記二つ以上のアーチ型（凹面または凸面）レンズは凹面レンズである、請求項１に記載のそれぞれに多重焦点のある複数の光格子を含む改良された光格子構造を有する配光板。
【請求項１９】
前記光格子のそれぞれの前記二つ以上のアーチ型（凹面または凸面）レンズは一部が凸面レンズでおよび一部が凹面レンズである、請求項１に記載のそれぞれに多重焦点のある複数の光格子を含む改良された光格子構造を有する配光板。
【発明の詳細な説明】
【技術分野】
【０００１】
本発明はそれぞれに多重焦点のある複数の光格子を含む改良された光格子構造を有する配光板に関する。および特に、均一な明るさで、ランプの明るさの損失を最小限にした状況下でくらみのない柔らかい光線で区域を照明する（光学的な反射および屈折の原理の使用により）ことが可能である配光板に関し、配光板は住居、オフィス、工場、または照明が必要とされる道路のような場所に適用されるよう適合され、および工学的汚染現象を回避するのと同様に省エネの効果も達成することができる。
【背景技術】
【０００２】
一般的な照明灯は室内および屋外を含む二つの種類に分けられる。室内灯は主に、その内側に反射面１０３を有する半カバー型の隠しカバー１０１（図１Ａ参照）にそれぞれ取り付けられる。ランプの光線は、ランプ（光源）からの直接照射に加え、反射面１０３から直接に反射されるもの、および照明される区域へのランプの外側に反射される、かなり広い部分の光線を含む。これらのランプは通常、くらみやめまいを感じさせる現象を結果として引き起こす目への光の照射を防ぐため、雲霧工程によって光源面に処理される。
【０００３】
屋外灯は主に、環境の要因を考慮して完全カバー型のカバー（図１Ｂ参照）であり、透明フード１０４の下に取り付けられ、フード１０４もまた、光源を目視する間の目のくらみ現象を阻止するため雲霧工程によって処理される。前記二つのタイプは、雲霧工程の処理によって明るさを大いに損失する一般的欠点を有し、これらの種の従来のランプは通常、ランプの明るさがそれぞれのランプの真下の範囲に集中されるガウス分布現象を有する。
【０００４】
現在可能な既知の光格子板は、菱形格子および凸面レンズ格子を含む。
【０００５】
構造が本発明のものと、より類似する従来の菱形格子を表す図２を参照に、菱形格子ユニット２０１は平らな底面２０２、および複数の鋸歯の格子２０３、２０４を有する上面を有し、菱形格子２０１は互いの鏡像として相対的に設置される二つの直線のはす縁２０５、２０８から形成される。複数の入射光線２０６は、結果として初回屈折を引き起こすよう、同一入射角度方向で鋸歯格子２０３のはす縁２０５に入り、光線２０６が平面２０２に達するとき、それらは照明される区域２０７に向かって再度屈折される。同様に、複数の入射光線２０９は、結果として初回屈折を引き起こすよう、同一入射角度方向で鋸歯格子２０４のはす縁２０８に入り、光線２０９が平面２０２に達するとき、それらは照明される区域２１０に向かって再度屈折される。はす縁２０５、２０８または平面２０２へ、同一入射角度方向でそれらの入射光線から屈折された後の光線は常に互いに平行になる、つまり交差および拡散効果はなく、照明される区域に到達する光線は部分的に集光線を形成し、およびそれらは均一な分配効果を得ることは不可能であることが、図からわかる。
【０００６】
また構造が本発明のものと、より類似する他の従来の凸面レンズ格子ユニット３０１を表す図３を参照して、凸面レンズ格子ユニット３０１は平らな底面３０２、および複数の凸面レンズ格子３０３、３０４を有する上面を有する。複数の入射光線３０５は、結果として初回屈折を引き起こすよう、同一入射角度方向で凸面レンズ格子３０３に入り、光線３０５が平面３０２に達するとき、それらは照明される区域３０６に向かって再度屈折される。同様に、複数の入射光線３０７は、結果として初回屈折を引き起こすよう、同一入射角度方向で凸面レンズ格子３０４に入り、光線３０７が平面３０２に達するとき、それらは照明される区域３０８に向かって再度屈折される。二つの凸面レンズ格子３０３、３０４へ同一入射角度方向で照射された後の光線は異なる角度方向で屈折を形成し、小さい曲率の方の凸面レンズ格子３０４は長焦点を有し、凸面レンズ格子３０４から屈折された後の光線は焦点で交差し、それらは区域３０８でより狭い照明範囲を形成する。大きい曲率の方のもう一方の凸面レンズ格子３０３は短い焦点を有し、凸面レンズ格子３０３から屈折された後の光線は焦点で交差し、それらは区域３０６でより広い照明範囲を形成することが、図からわかる。凸面レンズ格子ユニット３０１が配光板に適用される場合、下記に挙げる二つの欠点が生じる。第一に、すべての光線は凸面レンズ格子ユニット３０１の真下の部分に集中し、その照射距離は短く、かつそれらは広い照射範囲の効果を得ることが不可能である。および第二に、光線は互いに高度に重複されかつ結果としてガウス現象を受け、および均一な分配の効果を得ることが不可能である。
【０００７】
本発明の発明者によって発明された、および台湾特許申請ファイル番号96140922（特許文献１）に申請された分野である、複数の鋸歯光格子のある配光格子ユニットを有する構造を示す図４を参照する。多数の鋸歯状（格子）のある配光格子ユニット４０１は、平らな底面４０２、およびそれぞれがアーチ型面および直線の傾斜面（非アーチ型面）から成る複数の鋸歯状（格子）４０３、４０４、４０５、４０６、および４０７を有する上面を有し、かいつまんで、鋸歯状（格子）４０３は、凸面レンズ（アーチ型面）４２３および直線の傾斜面（非アーチ型面）４０９から成る、アーチ型の種の面および非アーチ型の種の面であることがわかる。複数の入射光線４０８は結果として初回屈折を生じるよう鋸歯状（格子）４０３の直線の傾斜面（非アーチ型面）４０９に入り、光線４０８が平面４０２に到達するとき、それらは照明される区域４１０に向かって下方にかつ左方向に再度屈折する。鋸歯状（格子）４０４は凸面レンズ（アーチ型面）４２４および直線の傾斜面（非アーチ型面）４１２から成る。同様に、複数の入射光線４１１は結果として初回屈折を生じるよう鋸歯状（格子）４０４の直線の傾斜面４１２に入り、光線４１１が平面４０２に到達するとき、それらは照明される区域４１３に向かって下方にかつ左方向に再度屈折する。またさらに、複数の入射光線４１４は結果として第一屈折を生じるよう鋸歯状（格子）４０５の凸面レンズ（アーチ型面）４１５に入り、光線４１５が平面４０２に到達するとき、それらは照明される区域４１６に向かって下方にかつ右方向に再度屈折する。鋸歯状（格子）４０６は凸面レンズ（アーチ型面）４１８および直線の傾斜面（非アーチ型面）４２６から成る。および、複数の入射光線４１７は結果として第一屈折を生じるよう鋸歯状（格子）４０６の凸面レンズ（アーチ型面）４１８に入り、光線４１７が平面４０２に到達するとき、それらは照明される区域４１９に向かって下方にかつ右方向に再度屈折する。鋸歯状（格子）４０７は凸面レンズ（アーチ型面）４２１および直線の傾斜面（非アーチ型面）４２７から成る。および、複数の入射光線４２０は結果として第一屈折を生じるよう鋸歯状（格子）４０７の凸面レンズ（アーチ型面）４２１に入り、光線４２０が平面４０２に到達するとき、それらは照明される区域４２２に向かって下方にかつ右方向に再度屈折する。図からは以下のことが分かる。より大きい入射角度を有する直線の傾斜面（非アーチ型面）４１２に同一角度方向で照射された後の光線４１１は、より大きい屈折角度を形成する、つまり照明される区域４２２はランプの真下から遠く、逆に、より小さい入射角度を有する直線の傾斜面（非アーチ型面）４０９に同一角度方向で照射された後の光線４０８は、より小さい屈折角度を形成する、つまり照明される区域４２２はランプの真下に近い。照明される区域４２２に到達する上記の二つの群の光線４１１、４０８は、部分的に集中する形状である。同一入射角度方向でアーチ型面４１５（同じ曲率を有するが傾斜角度が大きい）に入る入射光線４１４は、より大きい屈折角度および交差状態を形成する、つまり照明される区域４１６はランプの真下から遠く、および照明範囲は広い。逆に、同���入射角度方向で凸面レンズ（アーチ型面）４１８（同じ曲率を有するが傾斜角度が小さい）に入る光線４１７は、より小さい屈折角度および交差状態を形成する、つまり照明される区域４１９はランプの真下に近く、および照明範囲は狭い。凸面レンズ（アーチ型面）４１５、４１８は同じ傾斜角度で異なる曲率のアーチ型面である。同一傾斜角度方向で凸面レンズ（アーチ型面）４２１（より大きい曲率を有する）に入る光線４２０は、結果的に広い照明範囲を生じるよう屈折後短い距離で焦点を交差し、逆に、同一傾斜角度方向で凸面レンズ（アーチ型面）４１８（より大きい曲率を有する）に入る光線４１７は、狭い照明範囲を生じるよう屈折後より長い距離で焦点を交差する。
【０００８】
また本発明の発明者によって発明された、および米国特許申請ファイル番号12/174,534に申請された分野である、少なくとも二つの凸面レンズから成る複数の格子（それぞれに多重焦点のある）を有する配光板構造を示す図５を参照する。多重焦点のある光格子５０１は平らな底面５０２、およびそれぞれに多重焦点のある複数の光格子５０３、５０４、５０５を有する上面を有し、多重焦点のある光格子５０３は同じ曲率および大きさの二つの凸面レンズ（アーチ型面）５０６、５０７から成り、多重焦点のある光格子５０４は同じ曲率で大きさの違う二つの凸面レンズ（アーチ型面）５０８、５０９から成り、多重焦点のある光格子５０５は異なる曲率および大きさの三つの凸面レンズ（アーチ型面）５１０、５１１、および５１２から成る。凸面レンズ（アーチ型面）それぞれの曲率および大きさは、光線の屈折角度および照明される範囲に従って変化する。
【先行技術文献】
【特許文献】
【０００９】
【特許文献１】台湾特許96140922
【特許文献２】米国特許12/174,534
【発明の概要】
【００１０】
従来のランプの欠点を克服するため、本発明はそれぞれに多重焦点のある複数の光格子を含む、改良された光格子を有する配光板を提供する。光格子は、ランプのほとんどの光線の屈折角度方向を制御するため従来のランプの光出力面に取り付けることが可能であり、そのため光線は均一な分配の効果が得られるよう、照明される規定の区域を照射することができる。それぞれに多重焦点を有する複数の光格子のある上面に、少なくとも一つの透明板が提供され、多重焦点を有する光格子はそれぞれ、二つ以上の焦点を有する凸面レンズ格子を形成するため、二つ以上の凹面または凸面レンズおよび非アーチ型面のある少なくとも一つのレンズから成る。これらの多重焦点のある光格子は、ストリップ状の光格子であり、上面はランプの光受容面である。透明板の底面は平面であることが可能で、もしくはその上に複数の凸面レンズ、アーチ型面、またはその上に複数の標準凸面レンズが形成された面が形成され、および底面はランプの照明面である。そのような構造により、光線は均一に分配されることが可能で、およびランプの下範囲を特に明るくするガウス分布現象を回避することができ、およびランプの発光部を目視する間の目のくらみ現象を阻止することが可能であり、そして光線は明るさの損失を最小限にした状況下でより穏やかになる。
【００１１】
また、本発明で提供される改良された光格子構造を有する配光板は、透明板の上面にそれぞれに多重焦点を有する複数の光格子が形成されることが可能であり、多重焦点を有する光格子はそれぞれ、二つ以上の焦点を有する光格子ユニットを形成するため、二つ以上の凹面または凸面レンズおよび非アーチ型面のある少なくとも一つのレンズから成る。これらの多重焦点のある光格子は環状の光格子であり、上面はランプの光受容面である。透明板の底面は平面、またはその上に複数の標準凸面レンズが形成される面であることが可能で、および底面はランプの照明面である。
【００１２】
さらに、本発明で提供される改良された光格子構造を有する配光板は、透明板の上面にそれぞれに多重焦点を有する複数の光格子が形成されることが可能であり、多重焦点を有する光格子はそれぞれ、二つ以上の焦点を有する凸面レンズ格子を形成するため、二つ以上の凹面または凸面レンズおよび非アーチ型面のある少なくとも一つのレンズから成る。これらの多重焦点のある光格子は雲状の光格子であり、上面はランプの光受容面である。透明板の底面は平面、またはその上に複数の標準凸面レンズが形成される面であることが可能で、および底面はランプの照明面である。
【００１３】
本発明で提供される改良された光格子構造を有する配光板では、多重焦点を有する光格子の凹面または凸面レンズそれぞれの曲率および傾斜角度、および前記のそれぞれに非アーチ型面のある少なくとも一つのレンズの傾斜角度は、レンズ表面を通る入射光線の屈折角度に従って変化する。同様に、すべての標準凸面レンズの曲率および二つの標準凸面レンズごとの間の中間レンズ距離は、レンズ表面を通る入射光線の屈折角度に従って変化する。従って、ランプの光線は照明される区域の小さい範囲に向かって屈折されることが可能であり、それゆえ、光線は均一に分配されかつランプのした範囲が特に明るくなるガウス分布現象を回避することが可能である。
【００１４】
本発明で提供される改良された光格子構造を有する配光板はさらに改良されることが可能であり、すなわち、透明板の底面の一部分が複数の標準凸面で形成されることが可能であり、および一部分は多重焦点のある複数の凸面レンズ光格子で形成されることが可能である。そのような構造により、より広い照明範囲が提供されることが可能で、光線は均一に分配され、ランプの発光部を目視する間の目のくらみ現象が回避されることができ、および光線は明るさの損失を最小限にした状況下でより穏やかになる。
【図面の簡単な説明】
【００１５】
本発明は、添付の図面の参照とともに好適な実施例の詳細な説明を読むことにより、その構造および原理がより明確になる。
【００１６】
【図１Ａ】従来の半カバー型照明灯の略断面図である。
【図１Ｂ】従来の完全カバー型照明灯の略断面図である。
【図２】従来の菱形格子構造の光線進行を示す略図である。
【図３】従来の凸面レンズ格子の光線進行を示す略図である。
【図４】複数の鋸歯レンズを有する光格子構造を示す略図である。
【図５】少なくとも二つの凸面レンズ（少なくとも二つの焦点）から成る光格子構造を示す。
【図６】二つの凸面レンズおよび非アーチ型面から成る、本発明の多重焦点を有する光格子を示す。
【図６Ａ】二つの凸面レンズおよび非アーチ型面から成る、本発明の多重焦点を有する光格子を示す。
【図７】また、二つの凸面レンズおよび非アーチ型面から成る、本発明の多重焦点を有する光格子を示す。
【図７Ａ】また、二つの凸面レンズおよび非アーチ型面から成る、本発明の多重焦点を有する光格子を示す。
【図８】二つの凸面レンズおよび二つの非アーチ型面から成る、本発明の多重焦点を有する光格子を示す。
【図８Ａ】二つの凸面レンズおよび二つの非アーチ型面から成る、本発明の多重焦点を有する光格子を示す。
【図９】また、二つの凸面レンズおよび二つの非アーチ型面から成る、本発明の多重焦点を有する光格子を示す。
【図９Ａ】また、二つの凸面レンズおよび二つの非アーチ型面から成る、本発明の多重焦点を有する光格子を示す。
【図１０】三つの凸面レンズおよび非アーチ型面から成る、本発明の多重焦点を有する光格子を示す。
【図１０Ａ】三つの凸面レンズおよび非アーチ型面から成る、本発明の多重焦点を有する光格子を示す。
【図１１】二つの凸面レンズおよび三つの非アーチ型面から成る、本発明の多重焦点を有する光格子を示す。
【図１１Ａ】二つの凸面レンズおよび三つの非アーチ型面から成る、本発明の多重焦点を有する光格子を示す。
【図１２】それぞれに多重焦点を有する複数の光格子の改良された光格子構造を有する、本発明の配光板を示す拡大略図である。
【図１３】それぞれに多重焦点を有する複数の光格子の改良された光格子構造を有する、本発明の配光板の第一実施例の平面図である。
【図１３Ａ】それぞれに多重焦点を有する複数の光格子の改良された光格子構造を有する、本発明の配光板の第一実施例の平面図である。
【図１３Ｂ】それぞれに多重焦点を有する複数の光格子の改良された光格子構造を有する、本発明の配光板の第一実施例の平面図である。
【図１４】それぞれに多重焦点を有する複数の光格子の改良された光格子構造を有する、本発明の配光板の第二実施例の平面図である。
【図１４Ａ】それぞれに多重焦点を有する複数の光格子の改良された光格子構造を有する、本発明の配光板の第二実施例の平面図である。
【図１４Ｂ】それぞれに多重焦点を有する複数の光格子の改良された光格子構造を有する、本発明の配光板の第二実施例の平面図である。
【図１５】それぞれに多重焦点を有する複数の光格子の改良された光格子構造を有する、本発明の配光板の第三実施例の平面図である。
【図１５Ａ】それぞれに多重焦点を有する複数の光格子の改良された光格子構造を有する、本発明の配光板の第三実施例の平面図である。
【図１５Ｂ】それぞれに多重焦点を有する複数の光格子の改良された光格子構造を有する、本発明の配光板の第三実施例の平面図である。
【図１６】それぞれに多重焦点を有する複数の光格子の改良された光格子構造を有する、本発明の配光板の第四実施例の平面図である。
【図１６Ａ】それぞれに多重焦点を有する複数の光格子の改良された光格子構造を有する、本発明の配光板の第四実施例の平面図である。
【図１６Ｂ】それぞれに多重焦点を有する複数の光格子の改良された光格子構造を有する、本発明の配光板の第四実施例の平面図である。
【図１７】それぞれに多重焦点を有する複数の光格子の改良された光格子構造を有する、本発明の配光板の第五実施例の平面図である。
【図１７Ａ】それぞれに多重焦点を有する複数の光格子の改良された光格子構造を有する、本発明の配光板の第五実施例の平面図である。
【図１７Ｂ】それぞれに多重焦点を有する複数の光格子の改良された光格子構造を有する、本発明の配光板の第五実施例の平面図である。
【図１８】本発明の配光板の第六実施例の平面図である。本発明の配光板はそれぞれに多重焦点を有する複数の光格子の改良された光格子構造を有する。
【図１８Ａ】本発明の配光板の第六実施例の平面図である。本発明の配光板はそれぞれに多重焦点を有する複数の光格子の改良された光格子構造を有する。
【図１９】それぞれに多重焦点を有する複数の光格子の改良された光格子構造を有する、本発明の配光板の第七実施例の平面図である。
【図１９Ａ】それぞれに多重焦点を有する複数の光格子の改良された光格子構造を有する、本発明の配光板の第七実施例の平面図である。
【図２０】それぞれに多重焦点を有する複数の光格子の改良された光格子構造を有する、本発明の配光板の第八実施例の平面図である。
【図２０Ａ】それぞれに多重焦点を有する複数の光格子の改良された光格子構造を有する、本発明の配光板の第八実施例の平面図である。
【図２０Ｂ】それぞれに多重焦点を有する複数の光格子の改良された光格子構造を有する、本発明の配光板の第八実施例の平面図である。
【図２１】それぞれに多重焦点を有する複数の光格子の改良された光格子構造を有する、本発明の配光板の第九実施例の平面図である。
【図２１Ａ】それぞれに多重焦点を有する複数の光格子の改良された光格子構造を有する、本発明の配光板の第九実施例の平面図である。
【図２１Ｂ】それぞれに多重焦点を有する複数の光格子の改良された光格子構造を有する、本発明の配光板の第九実施例の平面図である。
【図２２】それぞれに多重焦点を有する複数の光格子の改良された光格子構造を有する、本発明の配光板の第十実施例の平面図である。
【図２２Ａ】それぞれに多重焦点を有する複数の光格子の改良された光格子構造を有する、本発明の配光板の第十実施例の平面図である。
【図２２Ｂ】それぞれに多重焦点を有する複数の光格子の改良された光格子構造を有する、本発明の配光板の第十実施例の平面図である。
【図２３】それぞれに多重焦点を有する複数の光格子の改良された光格子構造を有する、本発明の配光板の第十一実施例の平面図である。
【図２３Ａ】それぞれに多重焦点を有する複数の光格子の改良された光格子構造を有する、本発明の配光板の第十一実施例の平面図である。
【図２３Ｂ】それぞれに多重焦点を有する複数の光格子の改良された光格子構造を有する、本発明の配光板の第十一実施例の平面図である。
【図２４】それぞれに多重焦点を有する複数の光格子の改良された光格子構造を有する、本発明の配光板の第十二実施例の平面図である。
【図２４Ａ】それぞれに多重焦点を有する複数の光格子の改良された光格子構造を有する、本発明の配光板の第十二実施例の平面図である。
【図２５】本発明の透明板の少なくとも一つの側がそれぞれに多重焦点を有する複数の光格子を有する配光板を形成するために使用され、およびランプに適用される実施例を示す、部分図である。
【図２６】本発明の透明板の少なくとも一つの側がそれぞれに多重焦点を有する複数の光格子を有する配光板を形成するために使用され、およびランプに適用される実施例を示す、他の部分図である。
【図２７】二つの凹面レンズおよび非アーチ型面から成る、本発明の多重焦点を有する光格子を示す。
【図２７Ａ】二つの凹面レンズおよび非アーチ型面から成る、本発明の多重焦点を有する光格子を示す。
【図２８】二つの凹面レンズおよび非アーチ型面から成る、本発明の多重焦点を有する他の光格子を示す。
【図２８Ａ】二つの凹面レンズおよび非アーチ型面から成る、本発明の多重焦点を有する他の光格子を示す。
【図２９】二つの凹面レンズおよび二つの非アーチ型面から成る、本発明の多重焦点を有する光格子を示す。
【図２９Ａ】二つの凹面レンズおよび二つの非アーチ型面から成る、本発明の多重焦点を有する光格子を示す。
【図３０】凸面レンズ、凹面レンズ、および非アーチ型面から成る、本発明の多重焦点を有する光格子を示す。
【図３０Ａ】凸面レンズ、凹面レンズ、および非アーチ型面から成る、本発明の多重焦点を有する光格子を示す。
【図３１】凸面レンズ、凹面レンズ、および非アーチ型面から成る、本発明の多重焦点を有する他の光格子を示す。
【図３１Ａ】凸面レンズ、凹面レンズ、および非アーチ型面から成る、本発明の多重焦点を有する他の光格子を示す。
【図３２】凸面レンズ、凹面レンズ、および二つの非アーチ型面から成る、本発明の多重焦点を有する光格子を示す。
【図３２Ａ】凸面レンズ、凹面レンズ、および二つの非アーチ型面から成る、本発明の多重焦点を有する光格子を示す。
【発明を実施するための形態】
【００１７】
本発明は多重焦点のある改良された光格子構造を有する配光板に関し、少なくとも一つの透明板がランプの照明カバーとしての配光板を形成するために使用される。透明板は長方形、円、楕円、または新奇の形であることが可能で、透明板の材料は透明プラスチック、透明ガラス、または他の透明材料であることが可能である。透明板は少なくとも一つの側に、それぞれに多重焦点を有する複数の光格子が形成され、多重焦点を有する光格子はそれぞれ、二つ以上の焦点を有する凸面レンズ格子を形成するため、二つ以上の凸面レンズおよびそれぞれに非アーチ型面のある少なくとも一つのレンズ  から成り、凸面レンズそれぞれの曲率および傾斜角度、および前記のそれぞれに非アーチ型面のある少なくとも一つのレンズの傾斜角度は、レンズ表面を通る入射光線の屈折の角度に従って変化する。
【００１８】
本発明は多数の実施例とともに下記に説明される。
【００１９】
本発明の透明板から形成されるストリップ、環、雲、または粒状の多重焦点を有する光格子は、以下の種々の構造から選択される。
図６および６Ａを参照して、図面では、多重焦点を有する光格子６０２は、二つの凸面レンズ６０２および６０３と非アーチ型面のあるレンズ６０４から成り、およびストリップ状、雲状、または環状の光格子６０１の前および後側それぞれの垂直面である二つの面６０５、６０６があり、および多重焦点を有する光格子６０１の底面６０７は平面である。
図７および７Ａを参照して、図面では、多重焦点を有する光格子７０１は、二つの凸面レンズ７０２および７０３と非アーチ型面のあるレンズ７０４から成り、およびストリップ状、雲状、または環状の光格子７０１の前および後側それぞれの垂直面である二つの面７０５、７０６があり、および多重焦点を有する光格子７０１の底面７０７は平面である。
図８および８Ａを参照して、図面では、多重焦点を有する光格子８０１は、二つの凸面レンズ８０２および８０３と、二つの非アーチ型面のあるレンズ８０４、８０５から成り、およびストリップ状、雲状、または環状の光格子８０１の前および後側それぞれの垂直面である二つの面８０６、８０７があり、および多重焦点を有する光格子８０１の底面８０８は平面である。
図９および９Ａを参照して、図面では、多重焦点を有する光格子９０１は、二つの凸面レンズ９０４および９０５および二つの非アーチ型面のあるレンズ８０２、８０３から成り、およびストリップ状、雲状、または環状の光格子９０１の前および後側それぞれの垂直面である二つの面９０６、９０７があり、および多重焦点を有する光格子９０１の底面９０８は平面である。
図１０および１０Ａを参照して、図面では、多重焦点を有する光格子１００１は、三つの凸面レンズ１００２、１００３、および１００４と、非アーチ型面のあるレンズ１００５から成り、およびストリップ状、雲状、または環状の光格子１００１の前および後側それぞれの垂直面である二つの面１００６、１００７があり、および多重焦点を有する光格子１００１の底面１００８は平面である。
図１１および１１Ａを参照して、図面では、多重焦点を有する光格子１１０１は、三つの凸面レンズ１１０２および１１０３と、三つの非アーチ型面のあるレンズ１１０４、１１０５、および１１０６から成り、およびストリップ状、雲状、または環状の光格子１１０１の前および後側それぞれの垂直面である二つの面１１０７、１１０８があり、および多重焦点を有する光格子１１０１の底面１１０９は平面である。
【００２０】
凸面レンズから成る光格子構造は多くの種類があるという理由により、上記に六種類の組成構造を略式に挙げるが、一般的に言えば、二つ以上の凸面レンズとそれぞれに非アーチ型面のある少なくとも一つのレンズを有し、およびストリップ、雲、または環状である凸面レンズ格子は、すべて本発明の透明板から形成される多重焦点のある光格子の範囲内である。
【００２１】
本発明の部分断面図で表される、それぞれに多重焦点を有し、およびストリップ、環、雲、または粒状である複数の光格子の改良された光格子構造を有する配光板１２０１を示す拡大略図である図１２を参照して、図面では、透明板１２０１の底面１２０２は平面であり、および透明板１２０１の上面はその上に複数の光格子（多重焦点を有する）１２０３、１２０４、１２０５、１２０６、および１２０７が形成され、光格子（多重焦点を有する）１２０３は二つの凸面レンズ１２０８、１２１０と非アーチ型面１２１２から成り、多重焦点を有する凸面レンズ１２０８は焦点１２０９を有し、他の凸面レンズ１２１０は焦点１２１１を有する。光格子１２０４は二つの凸面レンズ１２１３、１２１５と非アーチ型面１２１７から成り、多重焦点を有する凸面レンズ１２１３は焦点１２１４を有し、他の凸面レンズ１２１５は焦点１２１６を有する。多重焦点を有する光格子１２０５は二つの凸面レンズ１２１８、１２２０と、二つの非アーチ型面１２２２、１２２３から成り、凸面レンズ１２２０は焦点１２２１を有し、多重焦点を有する光格子１２０６は二つの凸面レンズ１２２４、１２２６と、二つの非アーチ型面１２２８、１２２９から成り、凸面レンズ１２２４は焦点１２２５を有し、他の凸面レンズ１２２６は焦点１２２７を有する。多重焦点を有する光格子レンズ１２０７は三つの凸面レンズ１２３０、１２３２、１２３４と、非アーチ型面１２３６から成り、凸面レンズ１２３０は焦点１２３１を有し、凸面レンズ１２３２は焦点１２３３を有し、および凸面レンズ１２３４は焦点１２３５を有する。
【００２２】
本発明のそれぞれに多重焦点を有する複数の光格子の改良された光格子構造を有する配光板の第一の実施例の平面図である図１３、１３Ａ、および１３Ｂを参照して、図面では、透明板１３０１の底面１３０２は平面であり、および透明板１３０１の上面はその上にそれぞれに多重焦点を有するストリップ状の光格子１３０３が形成される。多重焦点を有するストリップ状の光格子１３０３の凸面レンズそれぞれの曲率および傾斜の角度、および前記の非アーチ型面のあるレンズそれぞれの傾斜角度は、レンズ表面を通る入射光線の屈折角度に従って変化する。
【００２３】
本発明のそれぞれに多重焦点を有する複数の光格子の改良された光格子構造を有する配光板の第二の実施例の平面図である図１４、１４Ａ、および１４Ｂを参照して、図面では、透明板１４０１の底面１４０２は平面であり、および透明板１４０１の上面はその上にそれぞれに多重焦点を有する環状の光格子１４０３が形成される。多重焦点を有する環状の光格子１４０３の凸面レンズそれぞれの曲率および傾斜の角度、および前記の非アーチ型面のあるレンズそれぞれの傾斜角度は、レンズ表面を通る入射光線の屈折角度に従って変化する。
【００２４】
本発明のそれぞれに多重焦点を有する複数の光格子の改良された光格子構造を有する配光板の第三の実施例の平面図である図１５、１５Ａ、および１５Ｂを参照して、図面では、透明板１５０１の底面１５０２は平面であり、および透明板１５０１の上面はその上にそれぞれに多重焦点を有する雲状の光格子１５０３が形成される。多重焦点を有する雲状の光格子１５０３の凸面レンズそれぞれの曲率および傾斜の角度、および前記の非アーチ型のあるレンズそれぞれの傾斜角度は、レンズ表面を通る入射光線の屈折角度に従って変化する。
【００２５】
本発明のそれぞれに多重焦点を有する複数の光格子の改良された光格子構造を有する配光板の第四の実施例の平面図である図１６、１６Ａ、および１６Ｂを参照して、図面では、透明板１６０１の底面１６０２は平面であり、および透明板１６０１の上面はその上にそれぞれに多重焦点を有する複数の環状の光格子１６０３が形成される。これらの多焦点を有する環状の光格子１６０３は段階的に配置される。多重焦点を有する環状の光格子１６０３の凸面レンズそれぞれの曲率および傾斜の角度、および前記の非アーチ型面のあるレンズそれぞれの傾斜角度は、レンズ表面を通る入射光線の屈折角度に従って変化する。
【００２６】
本発明のそれぞれに多重焦点を有する複数の光格子の改良された光格子構造を有する配光板の第五の実施例の平面図である図１７、１７Ａ、および１７Ｂを参照して、図面では、透明板１７０１の底面１７０２はアーチ型面であり、および透明板１７０１の上面はその上にそれぞれに多重焦点を有する複数の環状の光格子１７０３が形成される。これらの多焦点を有する環状の光格子１７０３は段階的に配置される。多重焦点を有する環状の光格子１７０３の凸面レンズそれぞれの曲率および傾斜の角度、および前記の非アーチ型面のあるレンズそれぞれの傾斜角度は、レンズ表面を通る入射光線の屈折角度に従って変化する。
【００２７】
本発明のそれぞれに多重焦点を有する複数の光格子の改良された光格子構造を有する配光板の第六の実施例の平面図である図１８および１８Ａを参照して、図面では、透明板１８０１の底面１８０２は平面であり、および透明板１８０１の上面はその上にすべて多重焦点を有する複数の非同心円の環状の光格子１８０３、１８０４、および１８０５と、すべて多重焦点を有する複数の部分的に環状の光格子１８０６、１８０７、１８０８、１８０９、１８１０、１８１１、１８１２、１８１３、および１８１４が形成される。これらの多重焦点を有する環状の光格子１８０３の凸面レンズそれぞれの曲率および傾斜の角度、および前記の非アーチ型面のあるレンズそれぞれの傾斜角度は、レンズ表面を通る入射光線の屈折角度に従って変化する。
【００２８】
本発明のそれぞれに多重焦点を有する複数の光格子の改良された光格子構造を有する配光板の第七の実施例の平面図である図１９および１９Ａを参照して、図面では、透明板１９０１の底面１９０２は平面であり、および透明板１９０１の上面はその上にすべて多重焦点を有する複数の非同心円の環状の光格子１９０３、１９０４、１９０５、および１９０６が形成される。多重焦点を有する環状の光格子１８０３の凸面レンズそれぞれの曲率および傾斜の角度、および前記の非アーチ型面のあるレンズそれぞれの傾斜角度は、レンズ表面を通る入射光線の屈折角度に従って変化する。
【００２９】
本発明のそれぞれに多重焦点を有する複数の光格子の改良された光格子構造を有する配光板の第八の実施例の平面図である図２０、２０Ａ、および２０Ｂを参照して、図面では、透明板２００１の底面はその上に複数の標準凸面レンズ２００２が形成され、および透明板２００１の上面はその上にそれぞれに多重焦点を有する複数のストリップ状の光格子２００３が形成される。多重焦点を有するストリップ状の光格子２００３の凸面レンズそれぞれの曲率および傾斜の角度、および前記の非アーチ型面のあるレンズそれぞれの傾斜角度は、レンズ表面を通る入射光線の屈折角度に従って変化する。標準凸面レンズ２００２それぞれの曲率を設計する原理は図３で述べられたものと同様である。
【００３０】
本発明のそれぞれに多重焦点を有する複数の光格子の改良された光格子構造を有する配光板の第九の実施例の平面図である図２１、２１Ａ、および２１Ｂを参照して、図面では、透明板２１０１の底面はその上に複数の標準凸面レンズ２１０２が形成され、および透明板２１０１の上面はその上にそれぞれに多重焦点を有する環状の光格子２１０３が形成される。多重焦点を有する複数の環状の光格子２１０３の凸面レンズそれぞれの曲率および傾斜の角度、および前記の非アーチ型面のあるレンズそれぞれの傾斜角度は、レンズ表面を通る入射光線の屈折角度に従って変化する。標準凸面レンズ２１０２それぞれの曲率を設計する原理は図３で述べられたものと同様である。
【００３１】
本発明のそれぞれに多重焦点を有する複数の光格子の改良された光格子構造を有する配光板の第十の実施例の平面図である図２２、２２Ａ、および２２Ｂを参照して、図面では、透明板２２０１の底面はその上に複数の標準凸面レンズ２２０２が形成され、および透明板２２０１の上面はその上にそれぞれに多重焦点を有する複数の環状の光格子２２０３が形成される。これらの環状の光格子２２０３は段階的に配置される。多重焦点を有する環状の光格子２２０３の凸面レンズそれぞれの曲率および傾斜の角度、および前記の非アーチ型面のあるレンズそれぞれの傾斜角度は、レンズ表面を通る入射光線の屈折角度に従って変化する。標準凸面レンズ２２０２それぞれの曲率を設計する原理は図３で述べられたものと同様である。
【００３２】
本発明のそれぞれに多重焦点を有する複数の光格子の改良された光格子構造を有する配光板の第十一の実施例の平面図である図２３、２３Ａ、および２３Ｂを参照して、図面では、透明板２３０１の底面はその上に複数の標準凸面レンズ２３０２が形成され、および透明板２３０１の上面はその上にそれぞれに多重焦点を有する複数の環状の光格子２３０３が形成される。これらの環状の光格子２３０３は段階的に配置される。多重焦点を有する環状の光格子２３０３の凸面レンズそれぞれの曲率および傾斜の角度、および前記の非アーチ型面のあるレンズそれぞれの傾斜角度は、レンズ表面を通る入射光線の屈折角度に従って変化する。標準凸面レンズ２３０２それぞれの曲率を設計する原理は図３で述べられたものと同様である。
【００３３】
本発明のそれぞれに多重焦点を有する複数の光格子の改良された光格子構造を有する配光板の第十二の実施例の平面図である図２４および２４Ａを参照して、図面では、二重層配光板２４０１の上面は、一つがもう一つに重複される二つの透明板２４０２、２４０３から成り、二つの透明板２４０２、２４０３はいずれも、上記の十一種類の配光板の実施例のいずれかに属することが可能である。図面では、ここに示される二つの透明板２４０２、２４０３はいずれも、第二の実施例で述べられた多重焦点を有する環状の光格子のための透明板であり、この構造により、光線は数回の屈折の後最大角度の屈折を得ることが可能である。
【００３４】
透明板の少なくとも一つの側が、それぞれに多重焦点を有する複数の光格子のある配光板を形成するために使用され、およびランプに適用される本発明の実施例を示す図２５を参照して、上記の第一から第十一の実施例のいずれかから不規則に選択される配光板は、照明される区域で、従来の半カバー型の隠しカバー１０１の下に可動に取り付けられる。この図では、本発明の第二の実施例のような配光板２５０１が例として使用され、配光板２５０１の上面はその上に多重焦点を有する複数の環状の光格子が形成され、かつ光受容面となるよう光源１０２に面し、配光板２５０１の底面２５０２は光出力面として平面である。
【００３５】
光線２５０６が初回屈折を形成するよう配光板２５０７の凸面レンズ２５０８に入るとき、および光線２５０６が平面２５０２に到達するとき、それらは照明される区域に向かって下方かつ右方向に再度屈折する。光線２５０９が初回屈折を形成するよう配光板２５０１の光格子２５１０の凸面レンズ２５１１に入るとき、および光線２５０９が平面２５０２に到達するとき、それらは下方かつ左方向に再度屈折し、および照明される区域に入る。光線２５０３が反射面１０３によって反射された後、初回屈折を形成するよう配光板２５０１の光格子２５０４の凸面レンズ２５０５に入るとき、および光線２５０３が平面２５０２に到達するとき、それらは下方かつ左方向に再度屈折し、および照明される区域に入る。光線２５１２が反射面１０３によって反射された後初回屈折を形成するよう、配光板２５０１の光格子２５１３の凸面レンズ２５１４に入るとき、および光線２５１２が平面２５０２に到達するとき、それらは下方かつ右方向に再度屈折し、および照明される区域に入る。配光板２５０１は、ランプからのほとんどの光線によって照明される特定の区域の照明を確実に制御することが可能であり、および従って、より広い照明範囲および照明される区域での光線の明るさの均一な分配の効果を得ることが可能であり、およびそれにより省エネ効果が達成される。
【００３６】
透明板の少なくとも一つの側が、それぞれに多重焦点を有する複数の光格子のある配光板を形成するために使用され、およびランプに適用される本発明の他の実施例を示す図２６を参照して、上記の第十二の実施例から選択される配光板２６０１は、照明される区域で、従来の半カバー型の隠しカバー１０１の下に可動に取り付けられる。この図では、光格子２６０１は、一つがもう一つに重複する二つの透明板２６０２、２６０３から形成される。
【００３７】
本発明の透明板から形成されるストリップ、環、雲、または粒状の多重焦点を有する光格子はまた、上記の種々の構造からも選択されることが可能である。
図２７および２７Ａを参照して、図面では、多重焦点を有する光格子２７０１は二つの凹面レンズ２７０２および２７０３と非アーチ型面のあるレンズ２７０４から成り、およびストリップ状、雲状、または環状の光格子２７０１の前側および後側それぞれの垂直面である二つの面２７０５、２７０６があり、および多重焦点を有する光格子２７０１の底面２７０７は平面である。
図２８および２８Ａを参照して、図面では、多重焦点を有する光格子２８０１は二つの凹面レンズ２８０２および２８０３と非アーチ型面のあるレンズ２８０４から成り、およびストリップ状、雲状、または環状の光格子２８０１の前側および後側それぞれの垂直面である二つの面２８０５、２８０６があり、および多重焦点を有する光格子２８０１の底面２８０７は平面である。
図２９および２９Ａを参照して、図面では、多重焦点を有する光格子２９０１は二つの凹面レンズ２９０２および２９０３と、二つの非アーチ型面のあるレンズ２９０４、２９０５から成り、およびストリップ状、雲状、または環状の光格子２９０１の前側および後側それぞれの垂直面である二つの面２９０６、２９０７があり、および多重焦点を有する光格子２９０１の底面２９０８は平面である。
図３０および３０Ａを参照して、図面では、多重焦点を有する光格子３００１は凸面レンズ３００２、凹面レンズ３００３と、非アーチ型面のあるレンズ３００４から成り、およびストリップ状、雲状、または環状の光格子３００１の前側および後側それぞれの垂直面である二つの面３００５、３００６があり、および多重焦点を有する光格子３００１の底面３００７は平面である。
図３１および３１Ａを参照して、図面では、多重焦点を有する光格子３１０１は凸面レンズ３１０２、凹面レンズ３１０３と、非アーチ型面のあるレンズ３１０４から成り、およびストリップ状、雲状、または環状の光格子３１０１の前側および後側それぞれの垂直面である二つの面３１０５、３１０６があり、および多重焦点を有する光格子３１０１の底面３１０７は平面である。
図３２および３２Ａを参照して、図面では、多重焦点を有する光格子３２０１は凸面レンズ３２０３、凹面レンズ３２０２と、二つの非アーチ型面のあるレンズ３２０４、３２０５から成り、およびストリップ状、雲状、または環状の光格子３２０１の前側および後側それぞれの垂直面である二つの面３２０６、３２０７があり、および多重焦点を有する光格子３２０１の底面３２０８は平面である。
【００３８】
上記に挙げた多種の実施例により、本発明の配光板は、従来のランプシェードの代わりに従来のランプの光出力面として使用されることが可能であり、従って、本発明の配光板のあるランプセットが形成されることが可能である。
【００３９】
結論として、特に光格子の設計により、本発明の配光板はその予測される効果が得られる。このように本発明は説明され、新規のものとしての特許請求および日本特許証による保障が望ましいものは、以下の通りである。
【符号の説明】
【００４０】
１０１隠しカバー
１０３反射面
１０４フード
２０１菱形格子ユニット
２０２底面
２０３鋸歯格子
２０４鋸歯格子
２０５はす縁
２０６光線
２０７区域
２０８はす縁
２０９光線
２１０区域
３０１凸面レンズ格子ユニット
３０２平面
３０３凸面レンズ格子
３０４凸面レンズ格子
３０５光線
３０６区域
３０７光線
３０８区域
４０１光格子ユニット
４０２底面
４０３鋸歯状（格子）
４０５鋸歯状（格子）
４０６鋸歯状（格子）
４０７鋸歯状（格子）
４０８光線
４０９直線の傾斜面
４１０区域
４１１光線
４１２直線の傾斜面
４１３区域
４１４光線
４１５光線
４１６区域
４１７光線
４１８凸面レンズ
４１９区域
４２０光線
４２１凸面レンズ
４２２区域
４２３凸面レンズ
４２４凸面レンズ
４２５凸面レンズ
４２６直線の傾斜面
４２７直線の傾斜面
５０１光格子
５０２底面
５０３光格子
５０４光格子
５０５光格子
５０６凸面レンズ
５０７凸面レンズ
５０８凸面レンズ
５０９凸面レンズ
５１０凸面レンズ
５１１凸面レンズ
５１２凸面レンズ
６０１光格子
６０２凸面レンズ
６０３凸面レンズ
６０４非アーチ型面レンズ
６０５面
６０６面
６０７底面
７０１光格子
７０２凸面レンズ
７０３凸面レンズ
７０４非アーチ型面レンズ
７０５面
７０６面
７０７底面
８０１光格子
８０２凸面レンズ
８０３凸面レンズ
８０４非アーチ型面レンズ
８０５非アーチ型面レンズ
８０６面
８０７面
８０８底面
９０１光格子
９０２非アーチ型面レンズ
９０３非アーチ型面レンズ
９０４凸面レンズ
９０５凸面レンズ
９０６面
９０７面
９０８底面
１００１光格子
１００２凸面レンズ
１００３凸面レンズ
１００４凸面レンズ
１００５非アーチ型面レンズ
１００６面
１００７面
１００８平面
１１０１光格子
１１０２底面
１１０３凸面レンズ
１１０４凸面レンズ
１１０５非アーチ型面レンズ
１１０６非アーチ型面レンズ
１１０７非アーチ型面レンズ
１１０８面
１１０９底面
１２０１透明板
１２０２底面
１２０３光格子
１２０４光格子
１２０５光格子
１２０６光格子
１２０７光格子
１２０８凸面レンズ
１２０９焦点
１２１０凸面レンズ
１２１１焦点
１２１２アーチ型面
１２１３凸面レンズ
１２１４焦点
１２１５凸面レンズ
１２１６焦点
１２１８凸面レンズ
１２２０凸面レンズ
１２２１焦点
１２２２非アーチ型面
１２２３非アーチ型面
１２２４凸面レンズ
１２２５焦点
１２２６凸面レンズ
１２２７焦点
１２３０凸面レンズ
１２３２凸面レンズ
１２３４凸面レンズ
１２３５焦点
１２３６非アーチ型面
１３０１透明板
１３０２底面
１３０３光格子
１４０１透明板
１４０２底面
１４０３光格子
１５０１透明板
１５０２底面
１５０３光格子
１６０１透明板
１６０２底面
１６０３光格子
１７０１透明板
１７０２底面
１７０３光格子
１８０１透明板
１８０２底面
１８０３光格子
１８０４光格子
１８０５光格子
１８０６光格子
１８０７光格子
１８０８光格子
１８０９光格子
１８１０光格子
１８１１光格子
１８１２光格子
１８１３光格子
１８１４光格子
１９０１透明板
１９０２底面
１９０３光格子
１９０４光格子
１９０５光格子
１９０６光格子
２００１透明板
２００２標準凸面レンズ
２００３光格子
２１０１透明板
２１０２標準凸面レンズ
２１０３光格子
２２０１透明板
２２０２標準凸面レンズ
２２０３光格子
２３０１透明板
２３０２標準凸面レンズ
２３０３光格子
２４０１配光板
２４０２透明板
２４０３透明板
２５０１配光板
２５０２底面
２５０３光線
２５０４光格子
２５０５平面
２５０６光線
２５０７配光板
２５０８凸面レンズ
２５０９光線
２５１０光格子
２５１１凸面レンズ
２５１２光線
２５１３光格子
２５１４凸面レンズ
２６０１配光板
２６０２透明板
２６０３透明板
２７０１光格子
２７０２凸面レンズ
２７０３凸面レンズ
２７０７底面
２８０１光格子
２８０２凸面レンズ
２８０３凸面レンズ
２８０４非アーチ型面レンズ
２８０５面
２８０６面
２８０７底面
２９０１光格子
２９０２凸面レンズ
２９０３凸面レンズ
２９０４非アーチ型面レンズ
２９０５非アーチ型面レンズ
２９０６面
２９０７面
２９０８底面
３００１光格子
３００２凸面レンズ
３００３凸面レンズ
３００４非アーチ型面レンズ
３００５面
３００６面
３００７底面
３１０１光格子
３１０２凸面レンズ
３１０３凸面レンズ
３１０４非アーチ型面レンズ
３１０５面
３１０６面
３１０７底面
３２０１光格子
３２０２凸面レンズ
３２０３凸面レンズ
３２０４非アーチ型面レンズ
３２０５非アーチ型面レンズ
３２０６面
３２０７面
３２０８底面
【図３】
2009266817.tif 000003
【図１Ａ】
2009266817.tif 000004
【図１Ｂ】
2009266817.tif 000005
【図２】
2009266817.tif 000006
【図４】
2009266817.tif 000007
【図５】
2009266817.tif 000008
【図６Ａ】
2009266817.tif 000009
【図７Ａ】
2009266817.tif 000010
【図８Ａ】
2009266817.tif 000011
【図６】
2009266817.tif 000012
【図７】
2009266817.tif 000013
【図８】
2009266817.tif 000014
【図９Ａ】
2009266817.tif 000015
【図１０Ａ】
2009266817.tif 000016
【図１１Ａ】
2009266817.tif 000017
【図９】
2009266817.tif 000018
【図１０】
2009266817.tif 000019
【図１１】
2009266817.tif 000020
【図１２】
2009266817.tif 000021
【図１３】
2009266817.tif 000022
【図１３Ａ】
2009266817.tif 000023
【図１３Ｂ】
2009266817.tif 000024
【図１４】
2009266817.tif 000025
【図１４Ａ】
2009266817.tif 000026
【図１４Ｂ】
2009266817.tif 000027
【図１５】
2009266817.tif 000028
【図１５Ａ】
2009266817.tif 000029
【図１５Ｂ】
2009266817.tif 000030
【図１６】
2009266817.tif 000031
【図１６Ａ】
2009266817.tif 000032
【図１６Ｂ】
2009266817.tif 000033
【図１７】
2009266817.tif 000034
【図１７Ａ】
2009266817.tif 000035
【図１７Ｂ】
2009266817.tif 000036
【図１８】
2009266817.tif 000037
【図１８Ａ】
2009266817.tif 000038
【図１９】
2009266817.tif 000039
【図１９Ａ】
2009266817.tif 000040
【図２０】
2009266817.tif 000041
【図２０Ａ】
2009266817.tif 000042
【図２０Ｂ】
2009266817.tif 000043
【図２１】
2009266817.tif 000044
【図２１Ａ】
2009266817.tif 000045
【図２１Ｂ】
2009266817.tif 000046
【図２２】
2009266817.tif 000047
【図２２Ａ】
2009266817.tif 000048
【図２２Ｂ】
2009266817.tif 000049
【図２３】
2009266817.tif 000050
【図２３Ａ】
2009266817.tif 000051
【図２３Ｂ】
2009266817.tif 000052
【図２４】
2009266817.tif 000053
【図２４Ａ】
2009266817.tif 000054
【図２５】
2009266817.tif 000055
【図２６】
2009266817.tif 000056
【図２７Ａ】
2009266817.tif 000057
【図２７】
2009266817.tif 000058
【図２８Ａ】
2009266817.tif 000059
【図２８】
2009266817.tif 000060
【図２９Ａ】
2009266817.tif 000061
【図２９】
2009266817.tif 000062
【図３０Ａ】
2009266817.tif 000063
【図３０】
2009266817.tif 000064
【図３１Ａ】
2009266817.tif 000065
【図３１】
2009266817.tif 000066
【図３２Ａ】
2009266817.tif 000067
【図３２】
2009266817.tif 000068
【外国語明細書】
2009266817000001.pdf